(57)【特許請求の範囲】
【請求項１】
ゲート電極を設けられた出力増幅器を有する固体画像センサーの低容量浮遊拡散構造を製造する方法であって、（ａ）所定の導電型の基板上にゲート酸化物を成長させ；
（ｂ）該ゲート酸化物上の該出力増幅器に対して該ゲート電極を形成し、それを貫通する開口を作成するために該ゲート電極をパターン化し；
（ｃ）該基板内に浮遊拡散領域を形成するよう該所定の導電型と反対の導電型のドーパントを該開口を介して導入し；
（ｄ）該浮遊拡散領域と該ゲート電極との間のオーミック接触を形成する各段階からなる製造方法。
【請求項２】
所定の導電型の基板上に設けられたゲート電極を有する出力増幅器を有する固体画像センサーにおいて、
（ａ）所定の導電型と反対の導電型で、該ゲート電極内に実現された開口の内縁に自己整合される基板内の浮遊拡散領域と；
（ｂ）該浮遊拡散領域と該ゲート電極との間のオーミック接触を形成する手段とからなる浮遊拡散構造。
【発明の詳細な説明】
【０００１】
【産業上の利用分野】
本発明は固体画像センサーに関し、特にそのような固体画像センサーの低容量浮遊拡散構造及びその製造方法に関する。
【０００２】
【従来の技術】
固体画像化センサーは入射光エネルギーを入射光画像に空間的に相関する電荷に変換することにより作動する。他の媒体内に画像を再生及び／又は記憶するために光ー電荷は典型的に電圧に変換される。図１の（Ａ）、（Ｂ）に示すようにこれは例えば浮遊拡散により実現される集積されたコンデンサー上のＣＣＤ画像センサーの出力ゲート１により記憶領域から光ー電荷を搬送することにより通常達成される。浮遊拡散領域９は出力増幅器の部分であるＭＯＳトランジスタのゲート電極３に接続される。ＭＯＳトランジスタはまたソース領域４とドレイン領域５とからなる。平行チャンネルを有する画像センサーの動作中に電荷サンプルはＭＯＳトランジスタのゲート電極３に電気的に結合された浮遊拡散領域９に搬送される。出力トランジスタのゲート電極上の電圧は出力増幅器への入力電圧であり、浮遊拡散上に搬送された画素電荷により決定される。ＭＯＳトランジスタのゲート電極３での電圧が浮遊拡散にあらかじめ印加された画素電荷サンプルにより影響されないようにするために、リセットゲート７は各画素サンプル電荷が浮遊拡散上に堆積された後の所定の時間で浮遊拡散をリセットドレイン８により決定された基準電位にリセットするのに用いられる。各画素電荷はＶ＝Ｑ／Ｃの関係により電圧に変換され；ここでＶは電圧、Ｑは電荷であり；Ｃは浮遊拡散の容量である。
【０００３】
光レベルが本質的に又は好ましくは低い（コピー機のような）応用分野では、ｄＶ／ｄＱにより決定される感度が大きくなり、それによりより低い輝度レベルで振れる適切な出力電圧を供給するようにこの容量をできるだけ小さくすることが望まれる。浮遊拡散構造２は典型的には浅い注入物９により形成され、浮遊拡散領域９を増幅器の部分であるＭＯＳトランジスタのゲート電極３に接続する金属層１０を介して接触される。そのようなシステムは例えばＫｕｂによる１９８６年６月１０日に発行されたアメリカ特許第４、５９４、６０４号明細書に記載されている。そのような浮遊拡散の正味の容量は関連する固体画像化器の出力ゲート電極１と浮遊拡散領域９との間の容量と、リセットゲート電極７と浮遊拡散領域９との間の容量と、増幅器の入力容量と、金属相互接続１０及びＭＯＳトランジスタゲート電極への接続に関連する寄生容量と、浮遊拡散領域９の連結容量とにより決定される。
【０００４】
そのような従来技術のシステムでは寄生容量はこの金属相互接続１０がトランジスタの動作チャンネル領域１２の外にトランジスタを接続するのを許容するのに充分に長くなるべきこと（結合パッド１１）により増加されうる。加えて浮遊拡散領域は該接触及び相互接続機構のために実現可能な最小限の幾何的配列を有しておらず、その故に最小連結容量は接触パターン化分解能及び配列公差のために要求されるオーバーラップにより制限される。
【０００５】
浮遊拡散の正味のノード容量を最小化する１つの方法はＫ．Ｍｉｗａｄａ等による文献「Ａ  １００  ＭＨｚ  Ｄａｔａ  Ｒａｔｅ，５０００−Ｅｌｅｍｅｎｔ  ＣＣＤ  Ｌｉｎｅａｒ  Ｉｍａｇｅ  Ｓｅｎｓｏｒ  Ｗｉｔｈ  ＲｅｓｅｔＰｕｌｓｅ  Ｌｅｖｅｌ  Ａｄｊｕｓｔｍｅｎｔ  Ｃｉｒｃｕｉｔ」ＩＥＥＥＩｎｔｅｒｎａｔｉｏｎａｌ  Ｓｏｌｉｄ  Ｓｔａｔｅ  Ｃｉｒｃｕｉｔ  Ｃｏｎｆｅｒｅｎｃｅ，Ｔｅｃｈｎｉｃａｌ  Ｄｉｇｅｓｔ，ｐｐ１６８−１６９，２７５，１９９２年に記載されている。この方法によれば、図２の（Ａ）、（Ｂ）に示すようにトランジスタのゲート電極３は「埋め込み接触」を介して浮遊拡散領域９に直接接続される。そのような浮遊拡散構造を作成するために用いられる１つの可能なプロセスが図３の（Ａ）乃至（Ｄ）及び図４の（Ａ）乃至（Ｃ）に示されている。図３の（Ａ）ではゲート酸化物３０は所定の導電性型の基板３１上で成長される。図３の（Ｂ）では埋め込み接触３２はフォトレジスト３３でパターン化されエッチングされる。図３の（Ｃ）では基板３１の１つと反対の導電性型の浮遊拡散領域９が設けられ又は拡散される。図３の（Ｄ）ではゲート電極３が堆積され、フォトレジスト３４によりパターン化され、エッチングされてゲート電極３は浮遊拡散領域９と直接接触する。この段階中で画像センサーの出力ゲート電極１と同様にリセットゲート電極７もまた形成されうる。図４の（Ａ）ではリセットドレイン領域８はパターン化され（フォトレジスト３６）、浮遊拡散領域９の１つと同じ導電性型の注入物で注入される。この注入段階中にＭＯＳトランジスタのソース／ドレイン領域（図示せず）はまた注入される。図４の（Ｂ）では誘電体３７が堆積され、パターン化され（フォトレジスト３８）、接触３９を形成するようエッチングされる。図４の（Ｃ）では上記接触に対して金属層４０が堆積され、パターン化され、エッチングされる。そのような方法が浮遊拡散２とＭＯＳ増幅器のゲート３との間のどのような金属相互接続の必要も除去するとしてもそれはある欠点を有する。第一にそれはベースライン画像センサープロセス、即ち標準的な単一、又は２重以上のレベルのポリ画像化器プロセスに一連の専用のマスク及びリソグラフィーを付加することを必要とする。それはまたゲート酸化物３０をフォトレジスト３３に直接接触させる又は直接接触を回避する付加的なプロセス段階のどちらかをまた必要とする。結果として装置の収率及びコストが不利に影響する。
【０００６】
【発明が解決しようとする課題】
従って本発明の目的は従来技術の方法に関する上記の問題を解決する固体画像センサーの改善された低容量浮遊拡散構造を提供することである。
【０００７】
【課題を解決するための手段】
この目的は
（ａ）  所定の導電性型の基板上にゲート酸化物を成長させ；
（ｂ）  該ゲート酸化物上の該出力増幅器に対して該ゲート電極を形成し、それを貫通する開口を作成するために該ゲート電極をパターン化し；
（ｃ）  該基板内に浮遊拡散領域を形成するよう該所定の導電性型と反対の導電性型のドーパントを該開口を介して導入し；
（ｄ）  該浮遊拡散領域と該ゲート電極との間のオーミック接触を形成する各段階からなるゲート電極を設けられた出力増幅器を有する固体画像センサーの低容量浮遊拡散構造を製造する方法を提供することにより達成される。
【０００８】
この目的は
（ａ）  所定の導電性型と反対の導電性型で、該ゲート電極内に実現された開口の内縁に自己整合される基板内の浮遊拡散領域と；
（ｂ）  該浮遊拡散領域と該ゲート電極との間のオーミック接触を形成する手段と
からなる浮遊拡散構造と、所定の導電性型の基板上に設けられたゲート電極とを有する出力増幅器を有する固体画像センサーによりまた達成される。
【０００９】
本発明の利点は：低容量浮遊拡散構造がベースライン画像センサー組み立てプロセスを変更せず又は段階を付加せずに作成され；浮遊拡散と電極との間の相互接続に関係する寄生容量は減少し、浮遊拡散の容量は減少する。
【００１０】
【実施例】
図５の（Ａ）、（Ｂ）を参照して本発明による浮遊拡散構造を説明する。本発明により得られる浮遊拡散構造は従来技術を参照して記載されたものと基本的に同じである；以下の説明は本発明による構造の独自の特徴に重点を置く。固体画像センサー（図示せず）内で発生した電荷は出力ゲート１によりＣＣＤシフトレジスタ（例えば）から浮遊拡散構造２で形成された集積されたコンデンサー上へ搬送される。浮遊拡散構造は出力増幅器の部分であるＭＯＳトランジスタのゲート電極３に接続された浮遊拡散領域９からなる。そのようなトランジスタはドレイン領域４及びソース領域５からなる。ドレイン領域からソース領域への電荷の搬送はゲート電極３に印加された電位により制御されている。出力トランジスタのゲート電極３での電圧があらかじめ浮遊拡散に対して印加された画素電荷サンプルにより影響されないためにリセットゲート７が各画素サンプル電荷が浮遊拡散内に堆積された後に所定の時間で浮遊拡散を基準電位にリセットし、リセットドレイン８はこの目的のために設けられる。浮遊拡散構造は浮遊拡散領域９からなり、該領域の縁は図５の（Ｂ）に示すようにゲート電極３内に形成された開口に自己整合する。以下により詳細に説明するようにこの浮遊拡散領域はゲート電極内に形成された開口を介してドーパントを注入することにより形成され、斯くしてゲート電極内に形成された開口の縁に浮遊拡散領域の自己整合が形成される。金属相互接続１０は浮遊拡散領域とゲート電極との間のオーミック接触を形成するよう浮遊拡散構造上に形成される。ＭＯＳトランジスタのゲート電極は浮遊拡散領域と相互接続を形成するので相互接続の領域は上記で説明した浮遊拡散構造に比較して顕著に減少される。従ってこの相互接続から生ずる容量はまた顕著に減少する。更にまたゲート電極内に形成された開口の縁への浮遊拡散領域の自己整合により最小の大きさの浮遊拡散領域が得られる。従って浮遊拡散領域それ自身に関する容量は減少する。
【００１１】
図６の（Ａ）乃至（Ｆ）に本発明による方法の好ましい実施例の段階を示す。
図６の（Ａ）にゲート酸化物３０が所定の導電性型の基板上に成長されるのを示す。その様な基板は好ましくはＰ型基板である。
図６の（Ｂ）、（Ｃ）にポリシリコン層（又は他の適切な材料）がフォトレジストによりゲート酸化物上に形成され、該ポリシリコン層はＭＯＳトランジスタ１２のゲート電極を形成するようパターン化されエッチングされる。図６の（Ｃ）に示すようにゲート電極は開口４５がそれを貫通して形成されるようパターン化される。このパターン化段階中にリセットゲート電極７と同様に固体画像センサーの出力ゲート電極１はまた形成される。典型的には固体画像センサー内のゲート電極の１、２又は３つのレベルがあり得、たとえ図示されていなくても固体画像センサーの所定のレベルの全てのゲート電極はこのパターン化段階中に好ましく形成される。他のレベルに対するゲート電極は後続のパターン化及びエッチング段階中に形成される。
【００１２】
図６の（Ｄ）に浮遊拡散領域９が基板の１つと反対の導電性型のドーパントを基板内に導入することにより形成されるのを示す。例えばＰ型の基板に対して
【００１３】
【外１】
0003842826.tif 000002
【００１４】
型のドーパントが用いられる。例えば注入又は拡散のような種々の技術がこの領域を形成するのに用いられうる。ゲート電極内の開口を介してこの領域を形成する利点の１つは浮遊拡散領域は開口の内縁に自己整合され、斯くして浮遊拡散領域の大きさ及び容量が制限されるということにある。図６の（Ｄ）に示すようにリセットドレイン領域８を形成するために同じドーパントがこの段階中に用いられる。固体画像センサー上の他のソース／ドレイン領域と同様にＭＯＳトランジスタのソース／ドレイン領域（図示せず）のような他の領域もこの段階中に注入されうる。
【００１５】
図６の（Ｅ）に接触３９を形成するために誘電体３７が堆積され、パターン化され（フォトレジスト４２）、エッチングされるのを示す。
図６の（Ｆ）にオーミック接触が浮遊拡散領域とゲート電極との間に形成されるのを示す。この接触はアルミニウムのような金属相互接続１０により形成されうる。このプロセス中に金属は画像センサーの他の接触４０に対して堆積され、パターン化され、エッチングされる。
【００１６】
上記の説明からこのような方法は標準的な単一、又は２重のレベルのポリ画像化器プロセスにどのような更なるプロセス段階も追加しないことは明白である。これは専用のマスキングと注入段階が要求されるＭｉｗａｄａ等により記載された方法ではない。
本発明はある好ましい実施例を特に参照して詳細に説明されてきたが、変更及び改良は本発明の精神及び視野内で有効であることは理解されよう。
【図面の簡単な説明】
【図１】従来技術として知られている浮遊拡散構造を示す図である。
【図２】従来技術の他の浮遊拡散構造を示す図である。
【図３】図２の（Ａ）、（Ｂ）の浮遊拡散構造を形成するのに用いられる従来技術のプロセスの段階を示す図である。
【図４】図２の（Ａ）、（Ｂ）の浮遊拡散構造を形成するのに用いられる従来技術のプロセスの段階を示す図である。
【図５】本発明の浮遊拡散構造を示す図である。
【図６】本発明による方法の段階を示す図である。
【符号の説明】
１  出力ゲート
２  浮遊拡散構造
３  ゲート電極
４  ソース領域
５  ドレイン領域
７  リセットゲート
８  リセットドレイン
９  浮遊拡散領域
１０  金属層
１１  結合パッド
１２  動作チャンネル領域
３０  ゲート酸化物
３１  基板
３２  埋め込み接触
３３、３４、３６、３８  フォトレジスト
３７  誘電体
３９  接触
４０  金属層
４２  フォトレジスト
４５  開口
【図１】
0003842826.tif 000003
【図２】
0003842826.tif 000004
【図３】
0003842826.tif 000005
【図４】
0003842826.tif 000006
【図５】
0003842826.tif 000007
【図６】
0003842826.tif 000008